(57)【要約】【課題】  製造が容易であると共に、電動工具に取り付けて使用する際に芯ブレを生じさせることを防ぐことができる電動工具用ブラシを提供する。【解決手段】  電動工具用ブラシ１０のブラシ体１は、断面略コの字形状のチャンネル部３と、チャンネル部３に固定されたブラシ部４とを有し、連結部材２は、ブラシ体保持部５を有するものであって、ブラシ体保持部５は、チャンネル部３を挟持し、チャンネル部３の開放端近傍を押圧固定している。【選択図】図１
0003206406.tif 000002
【実用新案登録請求の範囲】
【請求項１】
ブラシ体と、電動工具に連結するための連結部材とを有する電動工具用ブラシにおいて、
前記ブラシ体は、断面略コの字形状のチャンネル部と、該チャンネル部に固定されたブラシ部とを有し、
前記連結部材は、ブラシ体保持部を有するものであって、
前記ブラシ体保持部は、前記チャンネル部を挟持し、前記チャンネル部の開放端近傍を押圧固定していることを特徴とする電動工具用ブラシ。
【請求項２】
連結部材は、複数のブラシ体保持部を有することを特徴とする請求項１に記載の電動工具用ブラシ。
【考案の詳細な説明】
【技術分野】
【０００１】
本考案は、金属製品等のバリ取り等を行う為に、レシプロソー等の往復運動を行う電動工具を利用するものであって、レシプロソー等に取り付けられている鋸刃等と取り替えて使用する電動工具用ブラシに関するものである。
【背景技術】
【０００２】
従来から、レシプロソーの往復運動軸の先端に取り付けられている鋸刃を取り外して、代わりに清掃体を設置し、往復運動によって、付着物、残滓を取り除き食器、浴槽及び厨房、柱、床面の洗浄、研磨等を行う電動クリーナーが知られている。（特許文献１）。
【先行技術文献】
【特許文献】
【０００３】
【特許文献１】特開平８−１４０９２０号公報
【考案の概要】
【考案が解決しようとする課題】
【０００４】
しかしながら、上記特許文献１に記載された清掃体は、ブラシを針金で捩り合わせて中央部分が空いている楕円形に似た形に結束し、針金の両端を往復運動軸の軸部の先端に埋め込んで固定している為、往復運動させた場合に芯ブレを生じ易い構造となっていた。
【０００５】
本考案は、前記従来の課題を解決するものであり、製造が容易であると共に、電動工具に取り付けて使用する際に芯ブレを生じさせることを防ぐことができる電動工具用ブラシを提供することを目的とする。
【課題を解決するための手段】
【０００６】
前記従来の課題を解決するために、請求項１の考案は、ブラシ体と、電動工具に連結するための連結部材とを有する電動工具用ブラシにおいて、前記ブラシ体は、断面略コの字形状のチャンネル部と、該チャンネル部に固定されたブラシ部とを有し、前記連結部材は、ブラシ体保持部を有するものであって、前記ブラシ体保持部は、前記チャンネル部を挟持し、前記チャンネル部の開放端近傍を押圧固定していることを特徴としている。
【０００７】
請求項１の考案は、電動工具に連結する連結部材のブラシ体保持部がチャンネル部を挟持していることから、電動工具の往復運動軸の中心とブラシ体の軸中心とを一致させ易くなり、芯ブレを生じさせることを防ぐことができる。また、ブラシ体保持部がチャンネル部の開放端近傍を押圧固定しているので、ガタつきを防ぎ、往復運動時の安定性を向上させることができる。
【０００８】
請求項２の考案は、請求項１の考案において、連結部材は、複数のブラシ体保持部を有することを特徴としている。したがって、複数のブラシ体保持部を有する連結部材であっても電動工具の往復運動軸の中心とブラシ体の軸中心とを一致させ易くなり、芯ブレを生じさせることを防ぐことができる。
【考案の効果】
【０００９】
請求項１及び２の考案は、電動工具の往復運動軸の中心とブラシ体の軸中心とを一致させ易くなり、芯ブレを生じさせることを防ぐことができる。
【図面の簡単な説明】
【００１０】
【図１】本考案に係る電動工具用ブラシの第１実施形態を示す斜視図
【図２】第１実施形態の電動工具用ブラシのブラシ体と連結部材とを分離した状態を示す斜視図
【図３】第１実施形態の電動工具用ブラシを電動工具に取り付けた状態を示す右側面図
【図４】本考案に係る電動工具用ブラシの第２実施形態を示す斜視図
【考案を実施するための形態】
【００１１】
以下、本考案の実施形態について、図面を参照しながら説明する。なお、この実施の形態によって本考案が限定されるものではない。
【００１２】
図１は、本考案に係る電動工具用ブラシの第１実施形態を示す斜視図であり、図２は、同電動工具用ブラシのブラシ体と連結部材とを分離した状態を示す斜視図、図３は、同電動工具用ブラシを電動工具に取り付けた状態を示す右側面図である。これらの図を用いて第１実施形態の電動工具用ブラシについて説明する。
【００１３】
第１実施形態の電動工具用ブラシ１０は、ブラシ体１と、電動工具１１に連結するための連結部材２とを有している。そして、ブラシ体１は、断面略コの字形状のチャンネル部３と、チャンネル部３に固定されたブラシ部４とを有している。また、連結部材２は、ブラシ体保持部５と連結部６とを有している。尚、図において、ブラシ体１は、先端方向に反り上がった形状としているが、直線状のブラシ体でも良く、これも本考案に含まれる。
【００１４】
連結部材２のブラシ体保持部５は、断面略コの字形状となっており、チャンネル部３を挟持すると共に、ブラシ体保持部５の複数箇所を側面から加締めて凹部１６、１６を形成し、チャンネル部３の開放端近傍３ａを押圧固定している。また、連結部材２の連結部６の形状は一例であり、レシプロソーの着脱手段に対応して様々な形態をとることができる。尚、本考案に係る電動工具用ブラシ１０は、レシプロソーでの使用に限定するものではなく、往復運動を行う各種電動工具に使用することが可能である。
【００１５】
ブラシ体１を構成するブラシ部４は、バリ取りや研磨の用途の場合には、主に金属線や砥粒入りナイロンが使用される。また、洗浄や清掃の用途の場合には、天然繊維や化学繊維のブラシ毛や不織布、スポンジ等が使用される。
【００１６】
前述のように構成された第１実施形態の電動工具用ブラシ１０は、電動工具１１の往復運動軸の中心とブラシ体１の軸中心とを一致させ易くなり、芯ブレを生じさせることを防ぐことができる。また、ブラシ体保持部５がチャンネル部３の開放端近傍３ａを押圧固定しているので、ガタつきを防ぎ、往復運動時の安定性を向上させることができる。
【００１７】
図４は、本考案に係る電動工具用ブラシの第２実施形態を示す斜視図である。図４に示す第２実施形態の電動工具用ブラシ２０は、ブラシ体７と、連結部材８とを有しており、ブラシ体７は、断面略コの字形状であって、平面視Ｕ字形状のチャンネル部９と、チャンネル部９に固定された平面視Ｕ字形状のブラシ部１２と、ブラシ部１２の内部に固定される芯線１５とを有している。また、連結部材８は、２つのブラシ体保持部１３、１３と、連結部１４とを有している。
【００１８】
２つのブラシ体保持部１３、１３は、ブラシ体７の外側に位置する保持部材１３ａと、内側に位置する保持部材１３ｂで構成され、断面略コの字形状となっている。そして、ブラシ体保持部１３の開放端部間の寸法は、チャンネル部９の開放端部間の寸法と比べてやや小さく形成されている。そのため、保持部材１３ａの上にブラシ体７を置き、保持部材１３ｂを固定手段であるネジ１７によって保持部材１３ａへ固定すると、ブラシ体保持部１３はチャンネル部９の開放端近傍９ａを挟持し、押圧固定する。尚、ブラシ体７は、平面視Ｕ字形状としているが、本考案は、これに限定されるものではなく、２本の直線状のブラシ体が間隔を開けて配置される形状であっても良い。また、ブラシ体保持部１３、１３は、２つに限定されるものではなく、２つ以上のブラシ体保持部を有する形態も本考案に含まれる。また、連結部材８の連結部１４の形状は一例であり、レシプロソーの着脱手段に対応して様々な形態をとることができる。
【００１９】
前述のように構成された第２実施形態の電動工具用ブラシ２０は、電動工具の往復運動軸の中心とブラシ体７の軸中心とを一致させ易くなり、芯ブレを生じさせることを防ぐことができる。また、ブラシ体保持部１３がチャンネル部９の開放端近傍９ａを押圧固定しているので、ガタつきを防ぎ、往復運動時の安定性を向上させることができる。
【産業上の利用可能性】
【００２０】
本考案に係る電動工具用ブラシは、レシプロソー等の往復運動を行う電動工具に固定されて利用される。
【符号の説明】
【００２１】
１、７  ブラシ体
２、８  連結部材
３、９  チャンネル部
３ａ、９ａ  開放端近傍
４、１２  ブラシ部
５、１３  ブラシ体保持部
６、１４  連結部
１０、２０  電動工具用ブラシ
１１  電動工具
１５  芯線
【図１】
0003206406.tif 000003
【図２】
0003206406.tif 000004
【図３】
0003206406.tif 000005
【図４】
0003206406.tif 000006